(57)【要約】      （修正有）【課題】衣服の袖ぐり部に装着したときに、パッド本体の周縁部にシワができたり周縁部がヨレたりしにくい脇用の汗取りパッドを提供する。【解決手段】吸水層を有するシート状のパッド本体２と、パッド本体２の裏面側に設けられた粘着層３とを具備した汗取りパッドにおいて、パッド本体２を、展開状態で全体として略円形に形成したうえで、衣服への装着時に折り目となる線（折り返し線）を挟んで、その一方の側を、身頃側に位置することとなる第１面部５、他方の側を、袖側に位置することとなる第２面部６とする。そして、第１面部５および／または第２面部６の周縁部分に、衣服の袖ぐり部への装着時にパッド本体２の周縁部２１にシワが発生したり周縁部２１がヨレたりしにくくなるように、当該面部の内側に向けて凹み形成されたシワ発生等防止用の凹弧部５２・６２を設けた構成とする。【選択図】図１
0003162940.tif 000002
【実用新案登録請求の範囲】
【請求項１】
脇汗を吸収するために２つ折りにして衣服（９）の袖ぐり部（９１）に装着される汗取りパッド（１）であって、
吸水層を有するシート状のパッド本体（２）と、
パッド本体（２）の裏面側に設けられた粘着層（３）とを有し、
パッド本体（２）は、展開状態で全体として略円形に形成されていて、
衣服（９）への装着時に折り目となる線〔折り返し線〕（２ａ）を挟んで、その一方の側が、身頃側（９３）に位置することとなる第１面部（５）、他方の側が袖側（９４）に位置することとなる第２面部（６）とされており、
第１面部（５）および／または第２面部（６）の周縁部分には、衣服（９）の袖ぐり部（９１）への装着時にパッド本体（２）の周縁部（２１）にシワが発生したり周縁部（２１）がヨレたりしにくくなるように、当該面部の内側に向けて凹み形成されたシワ発生等防止用の凹弧部（５２・６２）が設けられていることを特徴とする脇用の汗取りパッド。
【請求項２】
シワ発生等防止用の凹弧部（５２・６２）は、第１面部（５）および／または第２面部（６）の周縁部分の複数箇所に設けられている、請求項１記載の脇用の汗取りパッド。
【請求項３】
シワ発生等防止用の凹弧部（５２・６２）は、パッド本体（２）における折り返し線（２ａ）と直交する方向の２等分線（２ｃ）を挟んで、左右対称となる位置に設けられている、請求項２記載の脇用の汗取りパッド。
【請求項４】
パッド本体（２）の折り返し線（２ａ）の両端に位置する周縁部分は内側にくびれた状態に形成されたくびれ部（２ｂ）とされている、請求項１ないし３のいずれかに記載された脇用の汗取りパッド。
【請求項５】
折り返し線（２ａ）は、第１面部（５）が第２面部（６）よりも所定量だけ大きなサイズとなるように第２面部（６）側に片寄った位置に設定されている、請求項１ないし４のいずれかに記載の脇用の汗取りパッド。
【請求項６】
第１面部（５）および第２面部（６）における各周縁部分は、その中央の約１／３の部分が円弧状にそれぞれ形成された主円弧部（５１・６１）とされている、請求項１ないし５のいずれかに記載の脇用の汗取りパッド。
【請求項７】
第１面部（５）における主円弧部（５１）の曲率半径をｒ１、第２面部（６）における主円弧部（６１）の曲率半径をｒ２としたときに、ｒ１＞ｒ２となるように設定されている、請求項６記載の脇用の汗取りパッド。
【請求項８】
粘着層（３）は、第１面部（５）および第２面部（６）の各裏面側にそれぞれ設けられている、請求項１ないし７のいずれかに記載の汗取りパッド。
【請求項９】
粘着層（３）の表面には、これを覆う剥離可能な剥離シート（４）が設けられている、請求項１ないし８のいずれかに記載の脇用の汗取りパッド。
【考案の詳細な説明】
【技術分野】
【０００１】
本考案は脇用の汗取りパッド、すなわち脇の汗を吸収するために衣服の袖ぐり部に装着される汗取りパッドに関する。
【背景技術】
【０００２】
この種の汗取りパッドとして、従来においては例えば特許文献１や特許文献２に記載されているように、吸収層を有するシート状のパッド本体の形状を全体として略円形とし、その裏面側に接着テープ（粘着テープ）を設けたものが知られている。これらの汗取りパッドは、パッド本体を２つ折りにして衣服の袖ぐり部にこれを跨ぐように装着され、パッド本体裏面側の接着テープを介して袖ぐり部の身頃側および胴側に貼り付けられることによって、袖ぐり部から簡単に外れてしまわないようになっている。
【０００３】
このような脇用の汗取りパッドは、使用中は常に脇の下に位置していて直接的に又は間接的に肌と接触し易いものだけに、パッド本体を２つ折りにして袖ぐり部に装着した状態において違和感等を感じないようになっているのが望ましい。
【０００４】
そこで、先の特許文献１記載の汗取りパッドでは、身体の動作に伴う衣服の変形に対してパッド本体が柔軟に変形して追随するようになっていることが良好な装着感を得る上で重要であるとの観点から、袖ぐり部への装着した時にパッド本体の折曲線（折り返し線）が袖ぐり部の縁に沿うように、パッド本体の折曲線と直交する方向に襞を設けたうえで、パッド本体の周縁形状を複数の小円弧を連ねた形状とし、その隣り合う小円弧の境界部分にできる凹んだ部分を、前記折曲線に近づく凹入部とした構成を採用している。
【０００５】
なお、上記のような複数個の小円弧を連ねて全体として略円形の周縁形状とした汗取りパッドは、先の特許文献１や特許文献２に記載されたものを含め従来から多数提案されている（例えば特許文献３、４参照）。
【先行技術文献】
【特許文献】
【０００６】
【特許文献１】特開平０８−０９２８０７号公報
【特許文献２】特開平０８−２２６００１号公報
【特許文献３】特開２００９−１２１０００号公報
【特許文献４】特開２００９−１２１００１号公報
【考案の概要】
【考案が解決しようとする課題】
【０００７】
パッド本体の周縁部に角張った部分があるとその部分が捲れたりしやすいが、パッド本体の周縁部が上記のような複数個の小円弧を連ねて全体として略円形の形状になっていると、そのような周縁形状では角張った部分が存在しなくなるため、上記のような捲れの問題は生じにくくなる。ところが、パッド本体の周縁形状が上記のように複数個の小円弧を連ねた形状になっていると、衣服の袖ぐり部にパッド本体を２つ折りにして装着した際に、パッド本体の周縁部にシワができたり外側に向けて出っ張った小円弧部分がヨレたりすることがあり、そのために違和感を感じることがある。
【０００８】
本考案は、脇用の汗取りパッドにおける上記のような点に鑑みてなされたもので、衣服の袖ぐり部に装着したときに、パッド本体の周縁部にシワができたり周縁部がヨレたりしにくい汗取りパッドを提供することを目的とする。
【課題を解決するための手段】
【０００９】
上記の目的を達成するため、本考案は、脇汗を吸収するために２つ折りにして衣服の袖ぐり部に装着される汗取りパッドにおいて、下記のように構成したことを特徴とする。
【００１０】
すなわち、本考案に係る汗取りパッドは、吸水層を有するシート状のパッド本体と、パッド本体の裏面側に設けられた粘着層とを具備し、前記パッド本体を、展開状態で全体として略円形に形成して、衣服への装着時に折り目となる線（折り返し線）を挟んで、その一方の側を、身頃側に位置することとなる第１面部、他方の側を、袖側に位置することとなる第２面部とした構成である。そして、第１面部および／または第２面部の周縁部分に、衣服の袖ぐり部への装着時にパッド本体の周縁部にシワが発生したり周縁部がヨレたりしにくくなるように、当該面部の内側に向けて凹み形成されたシワ発生等防止用の凹弧部を設けた構成とする。
【００１１】
パッド本体の全周にわたってシワの発生等を効率良く防止するためには、シワ発生等防止用の凹弧部を第１面部および／または第２面部の周縁部分の複数箇所に設けるのが望ましく、さらにはパッド本体における折り返し線と直交する方向の２等分線を挟んで、左右対称となる位置に設けるのが望ましい。
【００１２】
パッド本体の折り返し線の両端に位置する周縁部分は、衣服の袖ぐり部に沿って装着しやすくなるように、内側に窪んだ状態に形成するのが好ましい。
【００１３】
折り返し線は、第１面部が第２面部よりも所定量だけ大きなサイズとなるように第２面部側に片寄った位置に設定するのが望ましい。袖ぐり部に装着した時に、腕側（袖側）よりも胴部側（身頃側）の方が汗をかきやすく発汗範囲も広いため、その分だけ胴部側に位置する第１面部のサイズを大きくしておいた方がよいからである。
【００１４】
第１面部および第２面部における各周縁部分は、良好な装着性を確保するという観点から、その中央の約１／３の部分を円弧状にそれぞれ形成してなる主円弧部とすることができる。その場合、第１面部を第２面部よりも大きなサイズに設定したことに伴い、第１面部における主円弧部の曲率半径をｒ１、第２面部における主円弧部の曲率半径をｒ２としたときに、ｒ１＞ｒ２となるように設定するのが望ましい。
【００１５】
粘着層はパッド本体を衣服に貼り付けて固定しておくためのものであり、衣服の袖ぐり部に装着したときに、身頃側と袖側とにそれぞれ位置する第１面部と第２面部の各裏面側にそれぞれ設けておくのが好ましい。袖ぐり部を挟んで身頃側および袖側に第１面部および第２面部を確実に貼り付けておくことができるようにするためである。
【００１６】
粘着層の表面には、未使用時の取扱い性を考慮して、当該粘着層の表面を覆う剥離可能な剥離シートを設けておくのが好ましい。
【考案の効果】
【００１７】
本考案の汗取りパッドにおいては、パッド本体を展開状態で全体として略円形に形成したうえで、衣服への装着時に折り目となる線（折り返し線）を挟んで、その一方の側を、身頃側に位置することとなる第１面部、他方の側が袖側に位置することとなる第２面部とし、この第１面部および／または第２面部の周縁部分に、当該面部の内側に向けて凹み形成されたシワ発生等防止用の凹弧部を設けた。このように構成された汗取りパッドにおいては、パッド本体の周縁部に角張った部分や外側に向けて出っ張った小円弧部分は存在しない。したがって、バッド本体の周縁部における角張った部分が捲れたり小円弧部分がヨレたりするといった上述のような問題も生じない。
【００１８】
また、パッド本体の周縁部は全体として略円形の形状とされているものの、その周縁部には、上記のような外側に向けて出っ張った小円弧部分ではなく、第１面部および／または第２面部の内側に向けて凹み形成されたシワ発生等防止用の凹弧部が設けられている。この凹弧部は、パッド本体が衣服の袖ぐり部に装着された状態において身体の動きに伴って当該装着部分が伸びたり縮んだりしたときに、これに追随するように当該凹弧部の周辺部分とともに変形することによって、パッド本体の周縁部にシワが発生したり周縁部がヨレたりしないように作用する。つまり、衣服の袖ぐり部への装着時においてパット本体の周縁部にシワが発生したり周縁部がヨレたりしにくくなるように機能する。
【００１９】
こうして、本考案の汗取りパッドによれば、衣服の袖ぐり部への装着時にパッド本体の周縁部分にシワが発生したり周縁部がヨレたりすることを抑制することができ、良好な装着感を得ることができる。
【図面の簡単な説明】
【００２０】
【図１】本考案の実施例の汗取りパッドを示す正面図である。
【図２】本考案の実施例の汗取りパッドの裏面側を示す斜視図である。
【図３】図１のＡ−Ａ線断面図である。
【図４】本考案の実施例の汗取りパッドを衣服の袖ぐり部に装着した状態（身頃側から見た状態）を示す図である。
【図５】本考案の実施例の汗取りパッドを衣服の袖ぐり部に装着した状態を示す断面図である。
【図６】本考案に係る汗取りパッドの他の実施例を示す正面図である。
【図７】本考案に係る汗取りパッドの他の実施例を示す正面図である。
【図８】本考案に係る汗取りパッドの他の実施例を示す正面図である。
【図９】本考案に係る汗取りパッドの他の実施例を示す正面図である。
【考案を実施するための形態】
【００２１】
（実施例）  図１ないし図３は、本考案の実施例に係る汗取りパッド１を示す。この汗取りパッド１は、吸水性を有する不織布で構成されて図１ないし図３に示した展開状態で全体として略円形（周縁部２１が部分的にいびつな円形）に形成されたシート状のパッド本体２と、このパッド本体２の裏面側に設けられた粘着層３と、この粘着層３の表面を覆うように設けられた剥離シート４とで構成されている。
【００２２】
上記の吸水性を有する不織布としては、コットン繊維を主体とする不織布が使用されており、本実施例においては、このような不織布からなるパッド本体２の層自体が吸水層となっている。また、図示例のパッド本体２の形状は図１に示した状態において左右が対称である。
【００２３】
粘着層３は、図４および図５に示すように衣服９への汗取りパッド１の装着時に袖ぐり部９１の下縁部分９２側にパッド本体２を貼り付けて固定させるためのもので、本実施例では、後述するパッド本体２の第１面部５および第２面部６の裏面側にそれぞれ平面視で矩形状に設けられている。これらの粘着層３・３を構成する粘着剤としては、使用後に袖ぐり部からパッド本体２を剥がす際にいわゆる糊残り（粘着剤の一部が被着部（この場合は衣服）に残ること）がないように、ホットメルト系の粘着剤（接着剤）が使用されている。
【００２４】
剥離シート４は、汗取りパッド１の未使用時に粘着層３・３の表面にゴミなどが付着しないように当該表面を保護するためのもので、汗取りパッド１の使用時には図２に示すようにして粘着層３・３の表面から剥離されるものである。このような剥離シート４として、本実施例では、紙からなるシート基材の表面にポリエチレンまたはポリビニルアルコールからなる目止め層を介してシリコーン樹脂からなる剥離層を設けた積層構造の剥離紙が用いられている。
【００２５】
パッド本体２は、図４や図５に示すように衣服９の袖ぐり部９１に装着する際に２つ折りにして袖ぐり部９１の下縁部分９２を跨いだ状態で貼り付け固定される。そのときの折り目となる線（折り返し線）２ａが本実施例では図１に示した状態でパッド本体２の上半側に所定量だけ片寄った位置に設定されている。そして、衣服９の袖ぐり部９１への装着時に、上記の折り返し線２ａを挟んで、その一方の側（図１に示した状態で下半側）が、衣服９の身頃側９３に位置することとなる第１面部５、他方の側（図１に示した状態で上半側）が、衣服９の袖側に位置することとなる第２面部６とされている。
【００２６】
第１面部５のサイズ（面積）は第２面部６のサイズに比べて所定量だけ大きい。これは、袖ぐり部９１にパッド本体２を装着した時に、腕側（袖側９４）よりも胴部側（身頃側９３）の方が汗をかきやすく、また発汗範囲も広いため、胴部側（身頃側９３）に位置することとなる第１面部５を、腕側（袖側９４）に位置することとなる第２面部６よりも所定量だけ大きめのサイズとしたものである（図１、図４および図５参照）。
【００２７】
第１面部５および第２面部６においては、それぞれ、中央の約１／３の周縁部分（パッド本体の折り返し線と直交する方向の２等分線を含んでその両側に位置する約１／３の周縁部分）が比較的大きな円弧状の主円弧部５１・６１とされている。第１面部６における主円弧部５１と第２面部６における主円弧部６１は、折り返し線２ａを挟んで対向する位置にある。第１面部５における主円弧部５１は第２面部６における主円弧部６１よりも曲率半径が僅かに大きい。すなわち、第１面部５における主円弧部５１の曲率半径をｒ１、第２面部６における主円弧部６１の曲率半径をｒ２とすると、図示例ではｒ１＝６２ｍｍ、ｒ２＝５９ｍｍである。
【００２８】
パッド本体２において折り返し線２ａの両端に位置する周縁部分は内側にくびれた形状のくびれ部２ｂとされている。これは、図４に示すようにパッド本体２を折り返し線２ａで折って衣服９の袖ぐり部９１の下縁部分９２にこれを跨ぐように装着した際に、上記のように折り返し線２ａの両端の周縁部分が内側にくびれている方が、そうでない場合に比べて、折り返し線２ａの部分を袖ぐり部９１の下縁部分９２に近づけて、より当該下縁部分形状に沿った状態にすることができるからである。なお、図示例では、パッド本体２における折り返し線２ａの長さは１００ｍｍであり、その両端に位置するくびれ部２ｂの曲率半径は１４ｍｍである。
【００２９】
以上の構成に加えて、この汗取りパッド１においては、衣服９の袖ぐり部９１への装着時にパッド本体２の周縁部２１にシワが発生したり周縁部２１がヨレたりしにくくなるように、パッド本体２を構成する第１面部５および第２面部６の周縁部分に、当該面部の内側に向けて凹み形成されたシワ発生等防止用の複数個の凹弧部５２・６２がそれぞれ設けられている。これらの凹弧部５２・６２は、比較的小さな円弧（図示例では曲率半径が８ｍｍの円弧）状に凹んだ形状とされており、図示例ではパッド本体２における折り返し線２ａと直交する方向の２等分線（図１において縦方向の中心線）２ｃを挟んで左右対称となる位置に設けられている。すなわち、第１面部５ではその主円弧部５１の両側に互いに一定の間隔をあけて２対（４個）、第２面部６ではその主円弧部６１の両側に１対（２個）、したがってパッド本体２の周縁部２１の全体で６個設けられている。
【００３０】
なお、図示例の場合、各凹弧部５２・６２の深さは２．５ｍｍ、第１面部５において主円弧部５１の中心（主円弧部５１を円周の一部として含む円の中心）に対して２つの隣り合う凹弧部５１・５１の両中心線の成す角度（中心角）は図１の左右部分でいずれも２０°、第１面部５および第２面部６において主円弧部５１・６１の中心線と当該主円弧部５１・６１に隣接する凹弧部５２・６２の中心線との成す角度はいずれも４０°である。
【００３１】
上記の汗取りパッド１は、図２に示すようにバッド本体２の裏面側から剥離シート４を剥がしたうえで、図４および図５に示すようにパッド本体２を折り返し線２ａで２つ折りにして、衣服９の袖ぐり部９１の下縁部分９２にこれを跨いで取り付けられる。そして、その状態で衣服９の身頃側９３に位置する第１面部５と袖側９４に位置する第２面部６とが、それぞれ、粘着層３を介して身頃側９３と袖側９４とに貼り付けられることよって、パッド本体２が袖ぐり部９１の下縁部分９２に固定される。
【００３２】
このようにしてパッド本体２が衣服９の袖ぐり部９１に装着されるが、このときパッド本体２の周縁部２１に鋭角的な部分があるとその部分が捲れたりしやすい。また、パッド本体２の周縁形状が複数個の小円弧を連ねた形状になっていると、衣服９の袖ぐり部９１にパッド本体２を２つ折りにして装着した際に、パッド本体２の周縁部２１にシワができたり外側に向けて出っ張った小円弧部分がヨレたりすることがある。
【００３３】
しかし、本考案の汗取りパッド１においては、パッド本体２の周縁部２１に上記のような角張った部分や外側に向けて出っ張った小円弧部分は存在しない。したがって、そのような角張った部分が捲れたり小円弧部分がヨレたりするといった上記の問題も生じない。また、パッド本体２の周縁部２１は全体として略円形に形成されているものの、その周縁部２１には上記のような外側に向けて出っ張った小円弧部分ではなく、第１面部５および第２面部６の内側に向けて凹み形成されたシワ発生等防止用の凹弧部５２・６２が設けられている。これらの凹弧部５２・６２は、図４図に示すようにパッド本体２が衣服９の袖ぐり部９１に装着された状態において身体の動きに伴って当該装着部分が伸びたり縮んだりしたときに、これに追随するように主円弧部５１・６１等とともに変形することによって、パッド本体２の周縁部２１にシワが発生したり周縁部２１がヨレたりしないように作用する。つまり、衣服９の袖ぐり部９１への装着時においてパット本体２の周縁部２１にシワが発生したり周縁部２１がヨレたりしにくくなるように機能する。
【００３４】
こうして、本考案の汗取りパッド１によれば、衣服９の袖ぐり部９１への装着時にパッド本体２の周縁部２１にシワが発生したり周縁部２１がヨレたりすることを抑制でき、良好な装着感を得ることができる。
【００３５】
図６ないし図９に本考案に係る汗取りパッドの他の実施例を示す。図６に示す実施例では、第１面部５と第２面部６のそれぞれに、左右方向に長い上下２本の粘着層３・３を形成している（ここで言う左右および前後の方向は、図面上の左右前後方向に従う。以下においても同様である。）。図７に示す実施例では、第１面部と第２面部６のそれぞれに、前後方向に走る左右３本の粘着層３・３・３を形成している。尤も、本考案において、粘着層３の配置位置や本数等は、上記の実施例に示したものに限られない。
【００３６】
図８および図９に示す実施例では、パッド本体２の外周縁の全周に亘って、通気用の孔７を設けている。図８には略長方形状の孔７を形成した実施例を、図９には真円状の孔７を形成した実施例を示す。
【００３７】
パッド本体２の表面、裏面、或いは両面には防水フィルムを貼り付けることができる。かかる防水フィルムは、例えば通気孔を有するなど、何らかの通気機能を持ったものであることが好ましい。
【符号の説明】
【００３８】
１  汗取りパッド
２  パッド本体
２ａ  折り目となる線（折り返し線）
２ｂ  くびれ部
２ｃ  折り返し線と直交する方向の２等分線
３  粘着層
４  剥離シート
５  第１面部
６  第２面部
５１・６１  主円弧部
５２・６２  凹弧部
【図１】
0003162940.tif 000003
【図２】
0003162940.tif 000004
【図３】
0003162940.tif 000005
【図４】
0003162940.tif 000006
【図５】
0003162940.tif 000007
【図６】
0003162940.tif 000008
【図７】
0003162940.tif 000009
【図８】
0003162940.tif 000010
【図９】
0003162940.tif 000011